(57)【要約】【課題】  簡易な構成で、特定色を適切に補正することが可能な色変換装置を提供する。【解決手段】  この色変換装置では、選択部１は色信号Ｒ，Ｇ，Ｂのうちの固定コンポーネントとする色信号Ｘを選択して出力する。選択部２は、固定コンポーネント以外の色信号Ｙ，Ｚを選択して出力する。パラメータ演算部３は、特定色に関する各種設定データ、および選択部１からの色信号Ｘに基づいてパラメータ演算を行ない、補正処理に必要なデータ信号を出力する。補正処理部４は、パラメータ演算部３の出力データ信号に基づいて、選択部２からの色信号Ｙ，Ｚの補正処理を行ない、補正した色信号ＹＹ，ＺＺを出力する。このため、従来の画像処理方法に比べて色補正の演算処理が大幅に簡略化され、回路規模を小型化できる。【選択図】        図１
2005130477.tif 000002
【特許請求の範囲】
【請求項１】
素材データのカラー画像信号を色補正して画像表示デバイスに与える色変換装置であって、
制御信号に基づいて、前記素材データに含まれる第１、第２および第３の色信号のうちのいずれか１つを固定色信号として選択する第１の選択手段、
前記制御信号に基づいて、前記第１、第２および第３の色信号のうちの前記固定色信号以外の色信号を第１および第２の補正色信号として選択する第２の選択手段、および
前記固定色信号と特定色に関する設定データに基づいて、前記素材データにおける前記特定色の色成分を示す変換元データと、前記変換元データの近傍の変換範囲と、前記画像表示デバイスで前記特定色を再現する場合の前記特定色の色成分を示す変換先データとを算出し、前記第１および第２の補正色信号が前記変換範囲に含まれる場合に、前記第１および第２の補正色信号が前記変換先データに近づくように色補正を行ない、前記第１および第２の補正色信号が前記変換範囲に含まれない場合は色補正を行なわない補正手段を備える、色変換装置。
【請求項２】
前記特定色に関する設定データは、それぞれ前記第１および第２の補正色信号に対応する第１および第２の変換元比率と、第１および第２の変換先比率と、第１および第２の変換範囲比率とを含み、
前記変換元データは、前記固定色信号に前記第１の変換元比率を乗算した色成分と、前記固定色信号に前記第２の変換元比率を乗算した色成分とを含み、
前記変換先データは、前記固定色信号に前記第１の変換先比率を乗算した色成分と、前記固定色信号に前記第２の変換先比率を乗算した色成分とを含み、
前記変換範囲は、変換元データを中心とし、前記固定色信号に前記第１の変換範囲比率を乗算した変換幅と、前記固定色信号に前記第２の変換範囲比率を乗算した変換幅によって定められる、請求項１に記載の色変換装置。
【請求項３】
さらに、前記素材データにおける前記特定色の前記第１、第２および第３の色信号の比率と、前記画像表示デバイスで前記特定色を再現する場合の前記第１、第２および第３の色信号の比率とを比較し、双方において前記比率の最も高い色信号を前記固定色信号とするように制御する前記制御信号を出力する制御手段を備える、請求項１または請求項２に記載の色変換装置。
【請求項４】
前記補正手段は、前記第１および第２の補正色信号が前記特定色に関する変換元データに近いほど大きな値になる輝度ゲインをさらに生成し、
前記固定色信号と、前記補正手段からの前記第１および第２の補正色信号の各々に前記輝度ゲインを乗算する乗算手段をさらに備える、請求項１に記載の色変換装置。
【請求項５】
素材データのカラー画像信号を色補正して画像表示デバイスに与える色変換装置であって、
制御信号に基づいて、前記素材データに含まれる第１、第２および第３の色信号のうちのいずれか１つを固定色信号として選択する第１の選択手段、
前記制御信号に基づいて、前記第１、第２および第３の色信号のうちの前記固定色信号以外の色信号を第１および第２の補正色信号として選択する第２の選択手段、および
前記固定色信号と特定色に関する設定データに基づいて、変換中心とする前記特定色の色成分を示す変換中心データと、前記変換中心データの近傍の変換範囲とを算出し、前記第１および第２の補正色信号が前記変換範囲に含まれる場合に、前記第１および第２の補正色信号が前記変換中心データに近づくように色補正を行ない、前記第１および第２の補正色信号が前記変換範囲に含まれない場合は色補正を行なわない補正手段を備える、色変換装置。
【請求項６】
前記特定色に関する設定データは、それぞれ前記第１および第２の補正色信号に対応する第１および第２の変換中心比率と、第１および第２の変換範囲比率とを含み、
前記変換中心データは、前記固定色信号に前記第１の変換中心比率を乗算した色成分と、前記固定色信号に前記第２の変換中心比率を乗算した色成分とを含み、
前記変換範囲は、変換中心データを中心とし、前記固定色信号に前記第１の変換範囲比率を乗算した変換幅と、前記固定色信号に前記第２の変換範囲比率を乗算した変換幅によって定められる、請求項５に記載の色変換装置。
【請求項７】
前記補正手段は、前記第１および第２の補正色信号が前記変換中心データに近づくように色補正を行なう際、変換中心および変換範囲の境界で補正量が最小となり、変換中心と変換範囲の境界との真中で補正量が最大となるように色補正を行なう、請求項５または請求項６に記載の色変換装置。
【請求項８】
さらに、前記補正手段によって色補正が行なわれた後に、白色近傍の色が色補正前の白色に近づくように白色補正を行なう白色逆変換手段を備える、請求項１から請求項７までのいずれかに記載の色変換装置。
【発明の詳細な説明】
【技術分野】
【０００１】
この発明は色変換装置に関し、特に、カラー画像信号を色補正する色変換装置に関する。
【背景技術】
【０００２】
画像表示デバイスは色の表示特性が線形ではないため、ホワイトバランスや原色（Ｒ（赤色）、Ｇ（緑色）、Ｂ（青色））を調整すると、記憶色（人の肌の色、森の緑、空の青など人がイメージとして記憶している色）などの特定色の色合いがずれて、不自然な感じを与えてしまうことがある。
【０００３】
そこで、従来の色変換装置では、入力画像から特定色を含む特定領域を抽出し、入力画像に占める特定領域の割合と入力画像中における特定領域の位置とに基づき、色補正をするか否かを決定し、色補正をすると決定された特定領域に所定の色補正を施す方法が提案されている（たとえば、特許文献１参照）。
【０００４】
また、隣接する色空間の再現性を原稿の特性やユーザのニーズに合わせて選択する方法も提案されている（たとえば、特許文献２参照）。
【特許文献１】特開２００１−３０９１９３号公報
【特許文献２】特開２００２−２７１６３９号公報
【発明の開示】
【発明が解決しようとする課題】
【０００５】
素材データ（たとえば、デジタルカメラで撮影した被写体のデータ）を画像表示デバイスで再現する場合、画像表示デバイスの種類によって色の再現性が異なる。未だ開発途上の画像表示デバイスであるプラズマテレビや液晶テレビは、従来のブラウン管テレビに比べると色の再現性がよくない。素材データをプラズマテレビや液晶テレビで再現する場合、演算処理によって、素材データの色成分を画像表示デバイスに適した割合に変換する。しかし、複雑な演算処理が必要となるため、回路規模が大きくなってしまうという問題があった。
【０００６】
それゆえに、この発明の主たる目的は、簡易な構成で、特定色を適切に補正することが可能な色変換装置を提供することである。
【課題を解決するための手段】
【０００７】
この発明に係る色変換装置は、素材データのカラー画像信号を色補正して画像表示デバイスに与える色変換装置であって、制御信号に基づいて、素材データに含まれる第１、第２および第３の色信号のうちのいずれか１つを固定色信号として選択する第１の選択手段と、制御信号に基づいて、第１、第２および第３の色信号のうちの固定色信号以外の色信号を第１および第２の補正色信号として選択する第２の選択手段と、固定色信号と特定色に関する設定データに基づいて、素材データにおける特定色の色成分を示す変換元データと、変換元データの近傍の変換範囲と、画像表示デバイスで特定色を再現する場合の特定色の色成分を示す変換先データとを算出し、第１および第２の補正色信号が変換範囲に含まれる場合に、第１および第２の補正色信号が変換先データの近傍に近づくように色補正を行ない、第１および第２の補正色信号が変換範囲に含まれない場合は色補正を行なわない補正手段とを備えたものである。
【０００８】
好ましくは、特定色に関する設定データは、それぞれ第１および第２の補正色信号に対応する第１および第２の変換元比率と、第１および第２の変換先比率と、第１および第２の変換範囲比率とを含む。変換元データは、固定色信号に第１の変換元比率を乗算した色成分と、固定色信号に第２の変換元比率を乗算した色成分とを含み、変換先データは、固定色信号に第１の変換先比率を乗算した色成分と、固定色信号に第２の変換先比率を乗算した色成分とを含み、変換範囲は、変換元データを中心とし、固定色信号に第１の変換範囲比率を乗算した変換幅と、固定色信号に第２の変換範囲比率を乗算した変換幅によって定められる。
【０００９】
また好ましくは、さらに、素材データにおける特定色の第１、第２および第３の色信号の比率と、画像表示デバイスで特定色を再現する場合の第１、第２および第３の色信号の比率とを比較し、双方において比率の最も高い色信号を固定色信号とするように制御する制御信号を出力する制御手段が設けられる。
【００１０】
また好ましくは、補正手段は、第１および第２の補正色信号が特定色に関する変換元データに近いほど大きな値になる輝度ゲインをさらに生成する。さらに、固定色信号と、補正手段からの第１および第２の補正色信号の各々に輝度ゲインを乗算する乗算手段が設けられる。
【００１１】
また、この発明に係る他の色変換装置は、素材データのカラー画像信号を色補正して画像表示デバイスに与える色変換装置であって、制御信号に基づいて、素材データに含まれる第１、第２および第３の色信号のうちのいずれか１つを固定色信号として選択する第１の選択手段と、制御信号に基づいて、第１、第２および第３の色信号のうちの固定色信号以外の色信号を第１および第２の補正色信号として選択する第２の選択手段と、固定色信号と特定色に関する設定データに基づいて、変換中心とする特定色の色成分を示す変換中心データと、変換中心データの近傍の変換範囲とを算出し、第１および第２の補正色信号が変換範囲に含まれる場合に、第１および第２の補正色信号が変換中心データに近づくように色補正を行ない、第１および第２の補正色信号が変換範囲に含まれない場合は色補正を行なわない補正手段とを備えたものである。
【００１２】
好ましくは、特定色に関する設定データは、それぞれ第１および第２の補正色信号に対応する第１および第２の変換中心比率と、第１および第２の変換範囲比率とを含む。変換中心データは、固定色信号に第１の変換中心比率を乗算した色成分と、固定色信号に第２の変換中心比率を乗算した色成分とを含み、変換範囲は、変換中心データを中心とし、固定色信号に第１の変換範囲比率を乗算した変換幅と、固定色信号に第２の変換範囲比率を乗算した変換幅によって定められる。
【００１３】
また好ましくは、補正手段は、第１および第２の補正色信号が変換中心データに近づくように色補正を行なう際、変換中心および変換範囲の境界で補正量が最小となり、変換中心と変換範囲の境界との真中で補正量が最大となるように色補正を行なう。
【００１４】
また好ましくは、さらに、補正手段によって色補正が行なわれた後に、白色近傍の色が色補正前の白色に近づくように白色補正を行なう白色逆変換手段を備える。
【発明の効果】
【００１５】
この発明に係る色変換装置では、素材データのカラー画像信号を色補正して画像表示デバイスに与える色変換装置であって、制御信号に基づいて、素材データに含まれる第１、第２および第３の色信号のうちのいずれか１つを固定色信号として選択する第１の選択手段と、制御信号に基づいて、第１、第２および第３の色信号のうちの固定色信号以外の色信号を第１および第２の補正色信号として選択する第２の選択手段と、固定色信号と特定色に関する設定データに基づいて、素材データにおける特定色の色成分を示す変換元データと、変換元データの近傍の変換範囲と、画像表示デバイスで特定色を再現する場合の特定色の色成分を示す変換先データとを算出し、第１および第２の補正色信号が変換範囲に含まれる場合に、第１および第２の補正色信号が変換先データの近傍に近づくように色補正を行ない、第１および第２の補正色信号が変換範囲に含まれない場合は色補正を行なわない補正手段とが設けられる。このため、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００１６】
好ましくは、特定色に関する設定データは、それぞれ第１および第２の補正色信号に対応する第１および第２の変換元比率と、第１および第２の変換先比率と、第１および第２の変換範囲比率とを含む。変換元データは、固定色信号に第１の変換元比率を乗算した色成分と、固定色信号に第２の変換元比率を乗算した色成分とを含み、変換先データは、固定色信号に第１の変換先比率を乗算した色成分と、固定色信号に第２の変換先比率を乗算した色成分とを含み、変換範囲は、変換元データを中心とし、固定色信号に第１の変換範囲比率を乗算した変換幅と、固定色信号に第２の変換範囲比率を乗算した変換幅によって定められる。この場合も、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００１７】
また好ましくは、さらに、素材データにおける特定色の第１、第２および第３の色信号の比率と、画像表示デバイスで特定色を再現する場合の第１、第２および第３の色信号の比率とを比較し、双方において比率の最も高い色信号を固定色信号とするように制御する制御信号を出力する制御手段が設けられる。この場合は、特定色の色成分の割合に応じて第１、第２および第３の色信号のうちのいずれか１つが自動的に固定コンポーネントに指定され、他の色信号が色補正される。また、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００１８】
また好ましくは、補正手段は、第１および第２の補正色信号が特定色に関する変換元データに近いほど大きな値になる輝度ゲインをさらに生成する。さらに、固定色信号と、補正手段からの第１および第２の補正色信号の各々に輝度ゲインを乗算する乗算手段が設けられる。この場合は、特定色がより好ましい色調に補正される。
【００１９】
また、この発明に係る他の色変換装置では、素材データのカラー画像信号を色補正して画像表示デバイスに与える色変換装置であって、制御信号に基づいて、素材データに含まれる第１、第２および第３の色信号のうちのいずれか１つを固定色信号として選択する第１の選択手段と、制御信号に基づいて、第１、第２および第３の色信号のうちの固定色信号以外の色信号を第１および第２の補正色信号として選択する第２の選択手段と、固定色信号と特定色に関する設定データに基づいて、変換中心とする特定色の色成分を示す変換中心データと、変換中心データの近傍の変換範囲とを算出し、第１および第２の補正色信号が変換範囲に含まれる場合に、第１および第２の補正色信号が変換中心データに近づくように色補正を行ない、第１および第２の補正色信号が変換範囲に含まれない場合は色補正を行なわない補正手段とが設けられる。このため、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００２０】
好ましくは、特定色に関する設定データは、それぞれ第１および第２の補正色信号に対応する第１および第２の変換中心比率と、第１および第２の変換範囲比率とを含む。変換中心データは、固定色信号に第１の変換中心比率を乗算した色成分と、固定色信号に第２の変換中心比率を乗算した色成分とを含み、変換範囲は、変換中心データを中心とし、固定色信号に第１の変換範囲比率を乗算した変換幅と、固定色信号に第２の変換範囲比率を乗算した変換幅によって定められる。この場合も、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００２１】
また好ましくは、補正手段は、第１および第２の補正色信号が変換中心データに近づくように色補正を行なう際、変換中心および変換範囲の境界で補正量が最小となり、変換中心と変換範囲の境界との真中で補正量が最大となるように色補正を行なう。この場合も、色補正の演算処理が大幅に簡略化され、回路規模が小さくなる。したがって、簡易な構成で、任意の特定色を適切に補正することができる。また、プラズマディスプレイや液晶テレビなどの任意の画像表示デバイスに応じて、特定色を適切に補正することができる。
【００２２】
また好ましくは、さらに、補正手段によって色補正が行なわれた後に、白色近傍の色が色補正前の白色に近づくように白色補正を行なう白色逆変換手段が設けられる。この場合は、プラズマディスプレイや液晶テレビなどの任意の画像表示デバイスに応じて、より好ましい色調が再現できる。
【発明を実施するための最良の形態】
【００２３】
［実施の形態１］
図１は、この発明の実施の形態１による色変換装置の概略構成を示すブロック図である。図１において、この色変換装置は、選択部１，２、パラメータ演算部３および補正処理部４を備える。
【００２４】
ユーザは、ある特定色の色成分の割合に基づいて、入力色信号Ｒｉ，Ｇｉ，Ｂｉのうちのどの色信号を固定コンポーネントにするかを決定する。入力色信号Ｒｉ，Ｇｉ，Ｂｉのうちのいずれか１つの色信号を固定コンポーネントに指定する制御信号が、外部から選択部１，２に与えられる。選択部１は、制御信号に基づいて、入力色信号Ｒｉ，Ｇｉ，Ｂｉのうちの固定コンポーネントとする色信号Ｘを選択して出力する。選択部２は、制御信号に基づいて、色信号Ｒｉ，Ｇｉ，Ｂｉのうちの固定コンポーネント以外の色信号Ｙ，Ｚを選択して出力する。パラメータ演算部３は、特定色に関する各種設定データ、および選択部１からの色信号Ｘに基づいてパラメータ演算を行ない、補正処理に必要なデータ信号を出力する。補正処理部４は、パラメータ演算部３の出力データ信号に基づいて、選択部２からの色信号Ｙ，Ｚの補正処理を行ない、補正した色信号ＹＹ，ＺＺを出力する。
【００２５】
図２は、色信号Ｒｉを固定コンポーネントとして色信号Ｇｉ，Ｂｉを色補正する概念を示す図である。たとえば、一般的な人の肌の色を表示する場合、色成分Ｒ，Ｇ，Ｂの中で色成分Ｒの占める割合が最も多い。この場合、色信号Ｒｉを固定コンポーネントとし、他の色信号Ｇｉ，Ｂｉを補正する。ここで、素材データ（たとえば、デジタルカメラで撮影した被写体のデータ）におけるある特定色の色成分を変換元の色成分（Ｒ１，Ｇ１，Ｂ１）とし、その特定色をプラズマテレビなどの画像表示デバイスで再現する場合の色成分を変換先の色成分（Ｒ２，Ｇ２，Ｂ２）とする。これらの間には、下記の数式（１）〜（６）が成立する。
【００２６】
Ｒ１＝Ｒｉ×ratioＲ１   …（１）
Ｇ１＝Ｒｉ×ratioＧ１   …（２）
Ｂ１＝Ｒｉ×ratioＢ１   …（３）
Ｒ２＝Ｒｉ×ratioＲ２   …（４）
Ｇ２＝Ｒｉ×ratioＧ２   …（５）
Ｂ２＝Ｒｉ×ratioＢ２   …（６）
ユーザは、変換元比率ratioＲ１，ratioＧ１，ratioＢ１、および変換先比率ratioＲ２，ratioＧ２，ratioＢ２を、特定色に関する設定データとして予め設定する。外部からの設定データは、パラメータ演算部３に与えられる。色信号Ｒを固定コンポーネントとする場合は比率ratioＲ１＝ratioＲ２＝１とし、たとえば、設定データ（ratioＲ１＝１、ratioＧ１＝０．８、ratioＢ１＝０．６、ratioＲ２＝１、ratioＧ２＝０．６、ratioＢ２＝０．４）をユーザが予め設定する。数式（１）〜（６）による演算はパラメータ演算部３によって行なわれる。
【００２７】
次に、入力色信号Ｒｉ，Ｇｉ，Ｂｉがそれぞれ補正範囲内であるか否かが判定される。図２を参照して、Ｂｉ＞（Ｂ１−Ｂthl）かつＢｉ＜（Ｂ１＋Ｂthu）である場合、色信号Ｂｉは補正範囲内であると判断されて補正処理が行なわれる。一方、Ｂｉ＜（Ｂ１−Ｂthl）またはＢｉ＞（Ｂ１＋Ｂthu）である場合、色信号Ｂｉは補正範囲外であると判断されて補正処理が行なわれない。また、Ｇｉ＞（Ｇ１−Ｇthl）かつＧｉ＜（Ｇ１＋Ｇthu）である場合、色信号Ｇｉは補正範囲内であると判断されて補正処理が行なわれる。一方、Ｇｉ＜（Ｇ１−Ｇthl）またはＧｉ＞（Ｇ１＋Ｇthu）である場合、色信号Ｇｉは補正範囲外であると判断されて補正処理が行なわれない。ここで、下記の数式（７）〜（１２）が成立している。
【００２８】
Ｒthl＝Ｒｉ×thrl               …（７）
Ｒthu＝Ｒｉ×thru               …（８）
Ｂthl＝Ｒｉ×thbl               …（９）
Ｂthu＝Ｒｉ×thbu               …（１０）
Ｇthl＝Ｒｉ×thgl               …（１１）
Ｇthu＝Ｒｉ×thgu               …（１２）
変換範囲比率thrl，thru，thbl，thbu，thgl，thguは、特定色に関する設定データとしてパラメータ演算部３に与えられる。ただし、色信号Ｒを固定コンポーネントとする場合は、Ｒthl，Ｒthuは補正範囲の判断基準とされない。数式（７）〜（１２）による演算はパラメータ演算部３によって行なわれる。
【００２９】
なお、変換元比率ratioＲ１，ratioＧ１，ratioＢ１、変換先比率ratioＲ２，ratioＧ２，ratioＢ２は、および変換範囲比率thrl，thru，thbl，thbu，thgl，thguは、特定色および画像表示デバイスに応じて任意に設定される。
【００３０】
図３は、図１に示したパラメータ演算部３に含まれるＹパラメータ演算部１１および補正処理部４に含まれるＹ補正処理部１２の構成を示すブロック図である。図３において、色信号ＸをＲｉ、色信号ＹをＢｉとする。Ｙ補正処理部１２は、比較部２１、補正判定部２２、補正演算部２３および選択部２４を含む。
【００３１】
Ｙパラメータ演算部１１は、選択部２からの色信号Ｒｉ、および設定データratioＢ１，ratioＢ２，thbl，thbuを用いて、数式（３），（６），（９），（１０）に示したパラメータ演算を行ない、Ｂ１、Ｂ２、Ｂthl、Ｂthuを算出する。
【００３２】
比較部２１は、Ｙパラメータ演算部１１によって算出されたＢ１と、選択部２からの色信号Ｂｉとを比較して差信号を出力する。補正判定部２２は、Ｙパラメータ演算部１１によって算出されたＢthl，Ｂthu、および比較部２１からの差信号に基づいて、補正処理を行なうか否かを示す判定信号を生成する。Ｂｉ＜Ｂ１の場合は、差信号（Ｂ１−Ｂｉ）とＢthlとが比較され、（Ｂ１−Ｂｉ）＜Ｂthlであれば補正範囲内であると判定され、（Ｂ１−Ｂｉ）＞Ｂthlであれば補正範囲外であると判定される。一方、Ｂｉ＞Ｂ１の場合は、差信号（Ｂｉ−Ｂ１）とＢthuとが比較され、（Ｂｉ−Ｂ１）＜Ｂthuであれば補正範囲内であると判定され、（Ｂｉ−Ｂ１）＞Ｂthuであれば補正範囲外であると判定される。補正判定結果を示す判定信号は、選択部２４に与えられる。
【００３３】
補正演算部２３は、選択部２からの色信号Ｂｉ、およびＹパラメータ演算部１１からのＲｉ，ratioＢ１，ratioＢ２，thbl，thbuを用いて、下記の数式（１３），（１４）に示す演算処理を行ない、色信号Ｂｉｌ、Ｂｉｕを算出する。
【００３４】
Ｂｉｌ＝Ｂｉ＋Ｒｉ×（ratioＢ２−ratioＢ１）−（Ｒｉ×ratioＢ１−Ｂｉ）×（ratioＢ２−ratioＢ１）／（ratioＢ１×thbl）                  …（１３）
Ｂｉｕ＝Ｂｉ＋Ｒｉ×（ratioＢ２−ratioＢ１）−（Ｂｉ−Ｒｉ×ratioＢ１）×（ratioＢ２−ratioＢ１）／（ratioＢ１×thbu）                  …（１４）
なお、数式（１３）,（１４）は、数式（３），（６），（９），（１０）を用いて、下記の数式（１５），（１６）を変形したものである。
【００３５】
Ｂｉｌ＝Ｂｉ＋（Ｂ２−Ｂ１）−（Ｂ２−Ｂ１）×（Ｂ１−Ｂｉ）／（Ｂ１×thbl）                                                            …（１５）
Ｂｉｕ＝Ｂｉ＋（Ｂ２−Ｂ１）−（Ｂ２−Ｂ１）×（Ｂｉ−Ｂ１）／（Ｂ１×thbu）                                                            …（１６）
ここで、数式（１５），（１６）の除算部の分母のＢ１は、数式（３）で表わされ、入力信号Ｒｉに応じて変化する変数である。このように、除算部の分母に変数があると、演算処理に手間がかかってしまう。しかし、数式（１５），（１６）を変形した数式（１３），（１４）において、除算部の分母の（ratioＢ１×thbl），（ratioＢ１×thbu）は、入力信号Ｒｉの影響を受けない定数である。このため、補正演算処理が簡略化される。
【００３６】
選択部２４は、補正判定部２２からの判定信号に基づいて、補正演算部２３からの色信号Ｂｉｌ，Ｂｉｕ、および選択部２からの色信号Ｂｉのうちいずれか１つを選択して出力する。Ｂｉ＜Ｂ１で補正範囲内であると判定された場合は色信号Ｂｉｌを選択し、Ｂｉ＞Ｂ１で補正範囲内であると判定された場合は色信号Ｂｉｕを選択し、それ以外の場合は色信号Ｂｉを選択する。
【００３７】
図示しないが、パラメータ演算部３および補正処理部４は、さらに色信号Ｚを補正するためのＺパラメータ演算部およびＺ補正処理部を含む。色信号Ｚに関しても、色信号Ｙに対する補正処理と同様の補正処理が行なわれる。すなわち、Ｚ補正処理部において、Ｇｉｌ，Ｇｉｕが算出されて、入力色信号Ｇｉに対する補正補正処理が行なわれる。以上のようにして、入力色信号Ｒｉ，Ｇｉ、Ｂｉが数式（４）〜（６）で表わされる変換先の色成分（Ｒ２，Ｇ２，Ｂ２）の近傍に近づくように色補正が行なわれる。
【００３８】
従来の色変換装置では、色信号Ｒｉ，Ｇｉ，Ｂｉのうちのいずれか１つを固定コンポーネントとせず、すべての色信号Ｒｉ，Ｇｉ，Ｂｉに対して色補正を行なっていたため、色補正の演算処理が複雑になっていた。
【００３９】
しかし、この実施の形態１では、特定色の色成分の割合に応じて色信号Ｒｉ，Ｇｉ，Ｂｉのうちのいずれか１つを固定コンポーネントとし、他の色信号を色補正する。このため、従来の画像処理方法に比べて色補正の演算処理が大幅に簡略化され、回路規模が小さくなる。したがって、簡易な構成で、任意の特定色を適切に補正することができる。また、画像表示デバイスの特性に応じて、適切な設定データを与える。このため、プラズマディスプレイや液晶テレビなどの任意の画像表示デバイスに応じて、特定色を適切に補正することができる。
【００４０】
なお、特定色とは、記憶色に限らず任意の特定の色を意味する。たとえば、液晶プロジェクターなどに用いられる超高圧水銀ランプは、赤色近傍の色の発光特性が弱い。このため、液晶プロジェクターによって投影された映像は赤色近傍の色の色純度が低く、赤色近傍の色の再現性がよくない。そこで、この場合は赤色を特定色として、赤色近傍の色を色変換することによって、より自然な色合いを画像表示デバイスで再現する。
【００４１】
［実施の形態２］
図４は、この発明の実施の形態２による色変換装置の概略構成を示すブロック図であって、図１と対比される図である。図４の色変換装置を参照して、図１の色変換装置と異なる点は、制御部３１が追加されている点と、パラメータ演算部４がパラメータ演算部３２で置換されている点である。
【００４２】
制御部３１は、外部から与えられる特定色データに基づいて、固定コンポーネントを指定する制御信号、および特定色に関する設定データ（変換元比率ratioＲ１，ratioＧ１，ratioＢ１、変換先比率ratioＲ２，ratioＧ２，ratioＢ２、変換範囲比率thrl，thru，thbl，thbu，thgl，thgu）を出力する。ここで、特定色データは、素材データ（たとえば、デジタルカメラで撮影した被写体のデータ）におけるある特定色の色成分比率（Ｒ１１：Ｇ１１：Ｂ１１）、およびその特定色をプラズマテレビで再現する場合の色成分比率（Ｒ１２：Ｇ１２：Ｂ１２）である。制御部３１は、色成分比率（Ｒ１１：Ｇ１１：Ｂ１１）と色成分比率（Ｒ１２：Ｇ１２：Ｂ１２）とを比較して、いずれかの色成分の比率が双方において最も大きければ、その色信号を固定コンポーネントに指定する制御信号を出力する。たとえば、ある特定色の色成分比率（Ｒ１１：Ｇ１１：Ｂ１１）＝（１００：８０：６０）、色成分比率（Ｒ１２：Ｇ１２：Ｂ１２）＝（１００：６０：４０）である場合、色信号Ｒｉが固定コンポーネントに指定される。
【００４３】
また、ある特定色の色成分比率（Ｒ１１：Ｇ１１：Ｂ１１），（Ｒ１２：Ｇ１２：Ｂ１２）において、比率が最大となる色成分が異なる場合は、いずれかにおいて比率が最大となる色信号が固定コンポーネントに指定される。たとえば、色成分比率（Ｒ１１：Ｇ１１：Ｂ１１）＝（５０：１００：９０）、色成分比率（Ｒ１２：Ｇ１２：Ｂ１２）＝（４０：９０：１００）である場合、色信号Ｇｉまたは色信号Ｂｉのいずれかが固定コンポーネントに指定される。この場合、色成分比率（Ｒ１１：Ｇ１１：Ｂ１１）において比率が最大となる色信号を固定コンポーネントに指定するか、色成分比率（Ｒ１２：Ｇ１２：Ｂ１２）において比率が最大となる色信号を固定コンポーネントに指定するかが予め設定される。
【００４４】
選択部１は、制御部３１からの制御信号に基づいて、入力色信号Ｒｉ，Ｇｉ，Ｂｉのうちの固定コンポーネントに指定された色信号Ｘを選択して出力する。選択部２は、制御信号に基づいて、入力色信号Ｒｉ，Ｇｉ，Ｂｉのうちの固定コンポーネント以外の色信号Ｙ，Ｚを選択して出力する。
【００４５】
パラメータ演算部３２は、選択部１からの色信号Ｘ、制御部３１からの設定データおよび制御信号に基づいてパラメータ演算を行ない、補正処理に必要なデータ信号を出力する。パラメータ演算部３２は、制御部３１からの制御信号によって、固定コンポーネントに指定された色信号に応じて適切なパラメータ演算を行なうように制御される。補正処理部５は、パラメータ演算部３２の出力データ信号に基づいて、選択部２からの色信号Ｘ，Ｙの補正処理を行い、補正した色信号ＸＸ，ＹＹを出力する。
【００４６】
したがって、この実施の形態２では、制御部３１を設けたことによって、特定色の色成分の割合に応じて入力色信号Ｒｉ，Ｇｉ，Ｂｉのうちのいずれか１つが自動的に固定コンポーネントに指定され、他の色信号が色補正される。この場合も、実施の形態１と同様に、従来の画像処理方法に比べて色補正の演算処理が大幅に簡略化され、回路規模が小さくなる。したがって、簡易な構成で、任意の特定色を適切に補正することができる。また、画像表示デバイスの特性に応じて、適切な設定データが与えられる。このため、プラズマディスプレイや液晶テレビなどの任意の画像表示デバイスに応じて、特定色を適切に補正することができる。
【００４７】
［実施の形態３］
図５は、この発明の実施の形態３による色変換装置の概略構成を示すブロック図であって、図１と対比される図である。図５の色変換装置を参照して、図１の色変換装置と異なる点は、補正処理部５が補正処理部４１で置換されている点と、加算器４２および乗算器４３〜４５が追加されている点である。
【００４８】
図６は、図５に示したパラメータ演算部３に含まれるＹパラメータ演算部１１および補正処理部４１に含まれるＹ補正処理部５１の構成を示すブロック図であって、図３と対比される図である。図６のＹパラメータ演算部１１およびＹ補正処理部５１を参照して、図３のＹパラメータ演算部１１およびＹ補正処理部１２と異なる点は、補正演算部２３が補正演算部５２で置換されている点である。ここで、色信号ＸをＲｉ、色信号ＹをＢｉとする。
【００４９】
補正演算部５２は、選択部２からの色信号Ｂｉ、およびＹパラメータ演算部１１からのデータ信号Ｒｉ，ratioＢ１，ratioＢ２，thbl，thbuに基づいて補正演算処理を行ない、色信号Ｂｉｌ、Ｂｉｕを算出するとともに、輝度ゲインＧａＢｉｌ、ＧａＢｉｕを算出する。色信号Ｂｉｌ、Ｂｉｕは、数式（１３），（１４）によって算出される。
【００５０】
図７は、色信号Ｂｉに対する輝度ゲインＧａＢｉｌ、ＧａＢｉｕの特性を示す図である。図７において、αは予め設定される係数である。輝度ゲインＧａＢｉｌ、ＧａＢｉｕは、下記の数式（１７），（１８）で表わされる。ただし、数式（１７）はＢｉ＜Ｂ１の場合に成立し、数式（１８）はＢｉ＞Ｂ１の場合に成立する。
【００５１】
ＧａＢｉｌ＝１＋α（１−（Ｒｉ×ratioＢ１−Ｂｉ））／（Ｒｉ×thbl）
…（１７）
ＧａＢｉｕ＝１＋α（１−（Ｂｉ−Ｒｉ×ratioＢ１））／（Ｒｉ×thbu）
…（１８）
なお、数式（１７）,（１８）は、数式（３），（９），（１０）を用いて、下記の数式（１９），（２０）を変形したものである。
【００５２】
ＧａＢｉｌ＝１＋α（１−（Ｂ１−Ｂｉ））／Ｂthl         …（１９）
ＧａＢｉｕ＝１＋α（１−（Ｂｉ−Ｂ１））／Ｂthu         …（２０）
このように、輝度ゲインＧａＢｉｌ、ＧａＢｉｕは、入力信号ＢｉがＹパラメータ演算部１１によって算出されるＢ１に近いほど大きくなる。すなわち、入力信号が素材データ（たとえば、デジタルカメラで撮影した被写体のデータ）の特定色の変換元の色成分に近いほど輝度ゲインが大きくなる。また、入力信号Ｂｉが変換範囲の境界（（Ｂ１−Ｂthl）および（Ｂ１＋Ｂthu））に近いほど、輝度ゲインＧａＢｉｌ、ＧａＢｉｕが小さくなる。これは、たとえば、人の肌色は輝度成分が大きい方が好ましく、より健康的に見えるからである。
【００５３】
図６に戻って、補正判定部２２からの判定信号ＪｕＹは、選択部２４に与えられるとともに、加算器４２に与えられる。加算器４２は、この判定信号ＪｕＹによって、Ｂｉ＜Ｂ１の場合は輝度ゲインＧａＹｌ（＝ＧａＢｉｌ）を選択し、Ｂｉ＞Ｂ１の場合は輝度ゲインＧａＹｕ（＝ＧａＢｉｕ）を選択するように制御される。
【００５４】
図示しないが、パラメータ演算部３および補正処理部４１は、さらに色信号Ｚを補正するためのＺパラメータ演算部およびＺ補正処理部を含む。色信号Ｚに関しても、色信号Ｙに対する補正処理と同様の補正処理が行なわれる。すなわち、補正処理部４１は、輝度ゲインＧａＺｌ，ＧａＺｕおよび判定信号ＪｕＺをさらに生成する。
【００５５】
図５に戻って、加算器４２は、補正処理部４１から輝度ゲインＧａＹｌ，ＧａＹｕ，ＧａＺｌ，ＧａＺｕおよび判定信号ＪｕＹ，ＪｕＺを受ける。加算器４２は、判定信号ＪｕＹに基づいて輝度ゲインＧａＹｌ，ＧａＹｕのどちらか一方を選択し、判定信号ＪｕＺに基づいて輝度ゲインＧａＺｌ，ＧａＺｕのどちらか一方を選択し、選択した２つの輝度ゲインを加算した輝度ゲインＧａＹＺを出力する。
【００５６】
乗算器４３は、選択部１からの色信号Ｘに、加算器４２からの輝度ゲインＧａＹＺを乗算した色信号ＸＸを出力する。乗算器４４は、補正処理部４１からの色信号ＹＹに、加算器４２からの輝度ゲインＧａＹＺを乗算した色信号ＹＹＹを出力する。乗算器４５は、補正処理部４１からの色信号ＺＺＺに、加算器４２からの輝度ゲインＧａＹＺを乗算した色信号ＺＺＺを出力する。
【００５７】
以上のように、この実施の形態３では、入力信号の各色成分が素材データ（たとえば、デジタルカメラで撮影した被写体のデータ）の特定色の変換元の色成分に近いほど、各色信号に大きな輝度ゲインが乗算される。これにより、特定色がより好ましい色調に補正される。
【００５８】
［実施の形態４］
図８は、この発明の実施の形態４による色補正の概念を示す図である。図８において、色信号Ｒｉを固定コンポーネントとして色信号Ｇｉ，Ｂｉを色補正する場合を示す。ここで、ある特定色の色成分を変換中心の色成分（Ｒ３，Ｇ３，Ｂ３）とし、入力信号の色成分を（Ｒｉ，Ｇｉ，Ｂｉ）とする。これらの間には、下記の数式（２１）〜（２３）が成立する。
【００５９】
Ｒ３＝Ｒｉ×ratioＲ３   …（２１）
Ｇ３＝Ｒｉ×ratioＧ３   …（２２）
Ｂ３＝Ｒｉ×ratioＢ３   …（２３）
ユーザは、変換中心比率ratioＲ３，ratioＧ３，ratioＢ３を特定色に関する設定データとして予め設定する。色信号Ｒｉを固定コンポーネントとする場合は比率ratioＲ３＝１とする。
【００６０】
色信号Ｒｉ，Ｇｉ，Ｂｉが色変換装置に入力されると、入力色信号Ｒｉ，Ｇｉ，Ｂｉがそれぞれ補正範囲内であるか否かが判定される。図８を参照して、Ｂｉ＞（Ｂ３−ＢＴＨＬ）かつＢｉ＜（Ｂ３＋ＢＴＨＵ）である場合、色信号Ｂｉは補正範囲内であると判断されて補正処理が行なわれる。一方、Ｂｉ＜（Ｂ３−ＢＴＨＬ）またはＢｉ＞（Ｂ３＋ＢＴＨＵ）である場合、色信号Ｂｉは補正範囲外であると判断されて補正処理が行なわれない。また、Ｇｉ＞（Ｇ３−ＧＴＨＬ）かつＧｉ＜（Ｇ３＋ＧＴＨＵ）である場合、色信号Ｇｉは補正範囲内であると判断されて補正処理が行なわれる。一方、Ｇｉ＜（Ｇ３−ＧＴＨＬ）またはＧｉ＞（Ｇ３＋ＧＴＨＵ）である場合、色信号Ｇｉは補正範囲外であると判断されて補正処理が行なわれない。ここで、下記の数式（２４）〜（２９）が成立している。
【００６１】
ＲＴＨＬ＝Ｒｉ×ＴＨＲＬ                …（２４）
ＲＴＨＵ＝Ｒｉ×ＴＨＲＵ                …（２５）
ＢＴＨＬ＝Ｒｉ×ＴＨＢＬ                …（２６）
ＢＴＨＵ＝Ｒｉ×ＴＨＢＵ                …（２７）
ＧＴＨＬ＝Ｒｉ×ＴＨＧＬ                …（２８）
ＧＴＨＵ＝Ｒｉ×ＴＨＧＵ                …（２９）
ここで、変換範囲比率ＴＨＲＬ，ＴＨＲＵ，ＴＨＢＬ，ＴＨＢＵ，ＴＨＧＬ，ＴＨＧＵは、特定色に関する設定データとして予め与えられる。ただし、色信号Ｒｉを固定コンポーネントとする場合は、ＲＴＨＬ，ＲＴＨＵは補正範囲の判断基準とされない。
【００６２】
図９は、この実施の形態４によるＹパラメータ演算部６１およびＹ補正処理部６２の構成を示すブロック図であって、図３と対比される図である。図９のＹパラメータ演算部６１およびＹ補正処理部６２を参照して、図３のＹパラメータ演算部１１およびＹ補正処理部１２と異なる点は、Ｙパラメータ演算部１１がＹパラメータ演算部６１で置換されている点と、補正演算部２３が補正演算部６３で置換されている点である。図９において、色信号ＸをＲｉ、色信号ＹをＢｉとする。なお、この実施の形態４による色変換装置の概略構成を示すブロック図は、図１と同様である。
【００６３】
Ｙパラメータ演算部６１は、選択部１からの色信号Ｒｉ、および設定データratioＢ３，ＴＨＢＬ，ＴＨＢＵに基づいて、数式（２３），（２６），（２７）に示したパラメータ演算を行ない、Ｂ３，ＢＴＨＬ，ＢＴＨＵを算出する。
【００６４】
補正演算部６３は、選択部２からの色信号Ｂｉ、およびＹパラメータ演算部６１からのデータ信号Ｒｉ、Ｂ３，ＢＴＨＬ，ＢＴＨＵに基づいて補正演算処理を行ない、以下の式（３０），（３１）で表わされる色信号ＢｉＬ，ＢｉＵを生成する。
【００６５】
ＢｉＬ＝Ｂｉ＋β×（Ｂ３−Ｂｉ）×（１−（Ｂ３−Ｂｉ）／ＢＴＨＬ）                                                                      …（３０）
ＢｉＵ＝Ｂｉ−β×（Ｂｉ−Ｂ３）×（１−（Ｂｉ−Ｂ３）／ＢＴＨＵ）                                                                      …（３１）
ここで、βは色補正の強度を示す係数として予め設定される。数式（３０）において、Ｂｉ＜Ｂ３、かつ（Ｂ３−Ｂｉ）＜ＢＴＨＬである場合に、入力信号ＢｉがＢ３に近づくように補正される。また、数式（３１）において、Ｂｉ＞Ｂ３、かつ（Ｂｉ−Ｂ３）＜ＢＴＨＵである場合に、入力信号ＢｉがＢ３に近づくように補正される。
【００６６】
図１０は、図９に示した補正演算部６３によって色補正される補正量を示す図である。図１０において、入力信号Ｂｉが変換中心（Ｂ３）に近いほど補正量は小さくなり、変換中心と変換範囲の境界との真中（（Ｂ３＋ＢＴＨＵ）／２および（Ｂ３−ＢＴＨＬ）／２）に近いほど補正量は大きくなり、変換範囲の境界（（Ｂ３＋ＢＴＨＵ）および（Ｂ３−ＢＴＨＬ））に近いほど補正量は小さくなる。すなわち、変換中心および変換範囲の境界で補正量が最小となり、変換中心と変換範囲の境界との真中で補正量が最大となる。
【００６７】
図示しないが、色信号Ｚに関しても同様に、色信号Ｚを補正するためのＺパラメータ演算部およびＺ補正処理部が設けられ、色信号Ｙに対する補正処理と同様の補正処理が行なわれる。すなわち、色信号ＺをＧｉとすると、下記の数式（３２），（３３）で表わされる色信号Ｇｉｌ，Ｇｉｕが生成される。
【００６８】
ＧｉＬ＝Ｇｉ＋β×（Ｇ３−Ｇｉ）×（１−（Ｇ３−Ｇｉ）／ＧＴＨＬ）                                                                      …（３２）
ＧｉＵ＝Ｇｉ−β×（Ｇｉ−Ｇ３）×（１−（Ｇｉ−Ｇ３）／ＧＴＨＵ）                                                                      …（３３）
ただし、Ｇ３，ＧＴＨＬ，ＧＴＨＵは、数式（２２），（２８），（２９）によって算出される。以上のような構成により、入力信号Ｒｉ，Ｇｉ，Ｂｉは、数式（２１）〜（２３）で表わされる変換中心の色成分（Ｒ３，Ｇ３，Ｂ３）に近づくように補正される。
【００６９】
したがって、この実施の形態４では、変換中心となる色成分（Ｒ３，Ｇ３，Ｂ３）を指定して、入力信号の色成分の分布が変換中心（Ｒ３，Ｇ３，Ｂ３）に集中するように色補正する。これは、素材データの色特性が不特定である場合（どんなカメラで撮った映像かわからない場合）など、素材データの特定色の色成分が規定できない場合に有効であり、特に、人の肌色を補正する場合に効果的である。
【００７０】
［実施の形態５］
図１１は、この発明の実施の形態５による色変換装置の概略構成を示すブロック図である。図１１において、この色変換装置は、特定色変換部７１、白色逆変換部７２およびパラメータ演算部７３を備える。
【００７１】
特定色変換部７１は、実施の形態１で説明した特定色の色補正を行なう。すなわち、特定色変換部７１は、外部からの制御信号および設定データに基づいて、入力された色信号Ｒｉ，Ｇｉ，Ｂｉを補正し、色信号Ｘ，ＹＹ，ＺＺを出力する。パラメータ演算部７３は、入力された色信号Ｒｉ，Ｇｉ，Ｂｉと、固定コンポーネントを指定する制御信号と、特定色に関する設定データとして与えられた変換元比率ratioＲ１，ratioＧ１，ratioＢ１、変換先比率ratioＲ２，ratioＧ２，ratioＢ２および変換範囲比率thrl，thru，thbl，thbu，thgl，thguとに基づいてパラメータ演算を行ない、白色補正処理に必要な変換元比率ratioＲ２１，ratioＧ２１，ratioＢ２１および変換先比率ratioＲ２２，ratioＧ２２，ratioＢ２２を出力する。白色逆変換部７２は、固定コンポーネントを指定する制御信号と、特定色に関する設定データとして与えられた変換範囲比率thrl，thru，thbl，thbu，thgl，thguと、パラメータ演算部７３からの変換元比率ratioＲ２１，ratioＧ２１，ratioＢ２１および変換先比率ratioＲ２２，ratioＧ２２，ratioＢ２２とに基づいて、特定色変換部７１からの色信号Ｘ，ＹＹ，ＺＺに対して白色補正処理を行ない、色信号Ｘ＿ＯＵＴ，Ｙ＿ＯＵＴ，Ｚ＿ＯＵＴを出力する。
【００７２】
図１２は、図１１に示した白色逆変換部７２による白色補正の概念を示す図である。図１２において、色信号Ｒｉを固定コンポーネントとして色信号Ｇｉ，Ｂｉが色補正された場合を示す。図１１に示した特定色変換部７１によって、入力色信号Ｇｉ、Ｂｉが数式（５），（６）で表わされる変換先の色成分Ｇ２，Ｂ２に近づくように色補正が行なわれた場合、白色が変換範囲内に入っているとその白色が変化してしまう。白色の変化は画像の色温度などに大きな影響を及ぼすため、画像全体の印象を変えてしまうことがある。そこで、この実施の形態５では、変化してしまった白色近傍の色を、白色逆変換部７２によって元の白色に逆変換する。
【００７３】
図１１に示したパラメータ演算部７３は、下記の数式（３４）〜（３９）で示される変換元比率ratioＲ２１，ratioＧ２１，ratioＢ２１および変換先比率ratioＲ２２，ratioＧ２２，ratioＢ２２を算出する。なお、このパラメータ演算部７３を構成する回路は、必ずしも色変換装置内に設ける必要はなく、外部のＣＰＵなどでパラメータ演算処理を行なう構成にしてもよい。
【００７４】
ratioＲ２１＝（１−ratioＲ１）×（１＋constＲ）＋ratioＲ２    …（３４）
ratioＧ２１＝（１−ratioＧ１）×（１＋constＧ）＋ratioＧ２    …（３５）
ratioＢ２１＝（１−ratioＢ１）×（１＋constＢ）＋ratioＢ２    …（３６）
ratioＲ２２＝１                                         …（３７）
ratioＧ２２＝１                                         …（３８）
ratioＢ２２＝１                                         …（３９）
ただし、constＲ，constＧ，constＢは、下記の数式（４０）〜（４２）で表わされるものとする。
【００７５】
constＲ＝（ratioＲ１−ratioＲ２）／（ratioＲ１×thru）  …（４０）
constＧ＝（ratioＧ１−ratioＧ２）／（ratioＧ１×thgu）  …（４１）
constＢ＝（ratioＢ１−ratioＢ２）／（ratioＢ１×thbu）  …（４２）
ここで、色信号Ｒを固定コンポーネントとした場合は、比率ratioＲ１＝ratioＲ２＝１であるため、数式（４０）で表わされるconstＲは０であり、数式（３４）によって表わされるratioＲ２１は１である。
【００７６】
なお、ここでは説明を簡略化するため、数式（４０）〜（４２）は入力信号Ｇｉ，ＢｉがそれぞれＧｉ＞Ｇ１，Ｂｉ＞Ｂ１である場合の数式を示している。入力信号Ｇｉ，ＢｉがそれぞれＧｉ＜Ｇ１，Ｂｉ＜Ｂ１である場合は、変換範囲比率thru，thgu，thbuに代わって変換範囲比率thrl，thgl，thblが用いられる
数式（３４）〜（３６）は、実施の形態１で説明した補正演算部２３が演算処理を行なう際に使用した数式に、Ｇｉ＝Ｂｉ＝Ｒｉを代入することによって導出されたものである。これは、白色の色成分の割合（Ｒ：Ｇ：Ｂ）が（１：１：１）であることを利用している。ここで、数式（３６）の導出方法を例に挙げて説明する。
【００７７】
実施の形態１で用いた数式（１４）にＢｉ＝Ｒｉを代入し、数式（４２）で表わされるconstＢを用いると、数式（１４）は下記の数式（４３）に変形される。
【００７８】
Ｂｉｕ＝Ｒｉ＋Ｒｉ×（ratioＢ２−ratioＢ１）−Ｒｉ×（ratioＢ１−１）×constＢ  ＝Ｒｉ×｛（１−ratioＢ１）×（１＋constＢ）＋ratioＢ２｝  …（４３）
これは、特定色変換部７１による特定色の色補正によって、白色の色成分Ｂｉ（＝Ｒｉ）が、Ｂｉに｛（１−ratioＢ１）×（１＋constＢ）＋ratioＢ２｝を乗算した色成分Ｂｉｕに変化することを意味する。そこで、変化してしまった白色近傍の色を、白色逆変換部７２によって元の白色に逆変換する。このため、パラメータ演算部７３は、数式（３４）〜（３９）で表わされる変換元比率ratioＲ２１，ratioＧ２１，ratioＢ２１および変換先比率ratioＲ２２，ratioＧ２２，ratioＢ２２を算出して白色逆変換部７２に与える。
【００７９】
白色逆変換部７２は、固定コンポーネントを指定する制御信号と、特定色に関する設定データとして与えられた変換範囲比率thrl，thru，thbl，thbu，thgl，thguと、パラメータ演算部７３からの変換元比率ratioＲ２１，ratioＧ２１，ratioＢ２１および変換先比率ratioＲ２２，ratioＧ２２，ratioＢ２２とに基づいて、特定色変換部７１の出力信号Ｘ（＝Ｒｉ），ＹＹ（＝Ｂｉｕ），ＺＺ（＝Ｇｉｕ）に対して白色補正処理を行ない、色信号Ｘ＿ＯＵＴ（＝Ｒｉ），Ｙ＿ＯＵＴ（＝Ｂｉｕｕ），Ｚ＿ＯＵＴ（＝Ｇｉｕｕ）を出力する。ここで、この白色補正処理に用いられる数式は、下記の数式（４４），（４５）で表わされる。
【００８０】
Ｂｉｕｕ＝Ｂｉｕ＋Ｒｉ×（ratioＢ２２−ratioＢ２１）−（Ｂｉｕ−Ｒｉ×ratioＢ２１）×（ratioＢ２２−ratioＢ２１）／（ratioＢ２１×thbu）  …（４４）
Ｇｉｕｕ＝Ｇｉｕ＋Ｒｉ×（ratioＧ２２−ratioＧ２１）−（Ｇｉｕ−Ｒｉ×ratioＧ２１）×（ratioＧ２２−ratioＧ２１）／（ratioＧ２１×thgu）  …（４５）
ただし、ここでは説明を簡略化するため、入力信号Ｒｉが固定コンポーネントに指定され、かつ入力信号Ｇｉ，ＢｉがそれぞれＧｉ＞Ｇ１，Ｂｉ＞Ｂ１である場合の数式を示している。入力信号Ｇｉ，ＢｉがそれぞれＧｉ＜Ｇ１，Ｂｉ＜Ｂ１である場合は、Ｂｉｕ，Ｇｉｕに代わってＢｉｌ，Ｇｉｌが用いられ、変換範囲比率thgu，thbuに代わって変換範囲比率thgl，thblが用いられる。
【００８１】
以上のように、この実施の形態５では、入力色信号Ｒｉ，Ｇｉ、Ｂｉに対して特定色変換が行なわれた後、変化してしまった白色近傍の色を元の白色に逆変換する。これにより、プラズマディスプレイや液晶テレビなどの任意の画像表示デバイスに応じて、より好ましい色調が再現できる。
【００８２】
なお、ここでは、特定色変換部７１が実施の形態１で説明した特定色の色補正を行なう場合について説明したが、特定色変換部７１が実施の形態２から実施の形態４で説明した特定色の色補正を行なう場合も、それに対応した数式を用いることによって同様に白色補正を行なうことができる。
【００８３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８４】
【図１】この発明の実施の形態１による色変換装置の概略構成を示すブロック図である。
【図２】色信号Ｒを固定コンポーネントとして色信号Ｇ，Ｂを色補正する概念を示す図である。
【図３】図１に示したパラメータ演算部に含まれるＹパラメータ演算部および補正処理部に含まれるＹ補正処理部の構成を示すブロック図である。
【図４】この発明の実施の形態２による色変換装置の概略構成を示すブロック図である。
【図５】この発明の実施の形態３による色変換装置の概略構成を示すブロック図である。
【図６】図５に示したパラメータ演算部に含まれるＹパラメータ演算部および補正処理部に含まれるＹ補正処理部の構成を示すブロック図である。
【図７】色信号Ｂｉに対する輝度ゲインＧａＢｉｌ、ＧａＢｉｕの特性を示す図である。
【図８】この発明の実施の形態４による色補正の概念を示す図である。
【図９】この実施の形態４によるＹパラメータ演算部およびＹ補正処理部の構成を示すブロック図である。
【図１０】図９に示した補正演算部によって色補正される補正量を示す図である。
【図１１】この発明の実施の形態５による色変換装置の概略構成を示すブロック図である。
【図１２】図１１に示した白色逆変換部による白色補正の概念を示す図である。
【符号の説明】
【００８５】
１，２，２４  選択部、３，３２，７３  パラメータ演算部、４，４１  補正処理部、１１，６１  Ｙパラメータ演算部、１２，５１，６２  Ｙ補正処理部、２１  比較部、２２  補正判定部、２３，５２，６３  補正演算部、３１  制御部、４２  加算器、４３〜４５  乗算器、７１  特定色変換部、７２  白色逆変換部。
【図１】
2005130477.tif 000003
【図２】
2005130477.tif 000004
【図３】
2005130477.tif 000005
【図４】
2005130477.tif 000006
【図５】
2005130477.tif 000007
【図６】
2005130477.tif 000008
【図７】
2005130477.tif 000009
【図８】
2005130477.tif 000010
【図９】
2005130477.tif 000011
【図１０】
2005130477.tif 000012
【図１１】
2005130477.tif 000013
【図１２】
2005130477.tif 000014